(57)【特許請求の範囲】
【請求項１】
一対の固定接点（８）と、各固定接点（８）が個々に固定されている一対の固定接触子（９）と、固定接点（８）に開閉接続される一対の可動接点（７）を有し接触子圧縮ばね（１２）で付勢されている可動接触子（６）と、この可動接触子（６）が接触子圧縮ばね（１２）によって保持されている可動接触子ホルダ（１１）と、第１の接極子（２２）と固定接触子（９）の１つに直列接続されているコイル（２４）とを有する高速遮断用の第１の電磁駆動装置（３）と、第２の接極子（２７）を有する負荷電流を開閉するための第２の電磁駆動装置（４）とを備えた電磁開閉器（１）において、可動接触子ホルダ（１１）がその長手軸線方向へ第２の接極子（２７）に対して移動でき、可動接触子ホルダ（１１）にはこれに第２の接極子（２７）の接点開放運動を伝達する圧縮ばね（１６）が作用し、第１の電磁駆動装置（３）が応動した際、第１の接極子（２２）の運動が、接触子圧縮ばね（１２）が第１の段階において圧縮されて接触圧力が高められ同時に圧縮ばね（１６）がエネルギを蓄えるように可動接触子ホルダ（１１）に伝達され、ばね内に蓄えられたエネルギが第２の段階において接点を開く方向に可動接触子ホルダ（１１）を押圧するために利用されることを特徴とする電磁開閉器。
【請求項２】
可動接触子ホルダ（１１）に、第１の接極子（２２）の運動を伝達するために伝達素子（１７）が連結されていることを特徴とする請求項１記載の電磁開閉器。
【請求項３】
伝達素子として可動接触子ホルダ（１１）に回転可能に支持されたレバー（１７）が設けられ、このレバー（１７）の一方のアーム（１９）が第１の段階において回転しながら可動接触子ホルダ（１１）を引き連れて支持され、第２の段階において接点を開くためにその支持を釈放されることを特徴とする請求項２記載の電磁開閉器。
【発明の詳細な説明】
本発明は、一対の固定接点と、各固定接点が個々に固定されている一対の固定接触子と、固定接点に開閉接続される一対の可動接点を有し接触子圧縮ばねで付勢されている可動接触子と、この可動接触子が接触子圧縮ばねによって保持されている可動接触子ホルダと、第１の接極子と固定接触子に直列接続されているコイルとを有する高速遮断用の第１の電磁駆動装置と、第２の接極子を有する負荷電流を開閉するための第２の電磁駆動装置とを備えた電磁開閉器に関する。
このような電磁開閉器はドイツ特許出願公開第４３１８１９６号明細書で知られている。この電磁開閉器によって負荷電流が開閉され、且つ過電流、主に短絡電流が制限される。ここで第１の電磁駆動装置は、過電流が流れた際に可動接触子に力を加えて接点を開く補助装置として作動する。これによって、接点が電磁力によって不定の浮上状態に置かれて接点が溶着してしまうことが防止される。このような溶着防止形電磁接触器は遮断器と組み合わせて使用されている。電磁接触器は一般に経済的な理由から遮断器に比べて小さな遮断容量で形成されている。その電流制限は遮断器に対する支援としてしか作用しない。従って、電磁接触器の補助磁石装置は遮断器の電流よりも高い電流において応動する必要がある。更にまた、短絡が生じた際に接点が電磁接触器の補助磁石装置によって互いに分離されるまで、主磁石装置によって閉じられたままにする必要がある。この両方の要件を満足するためには、同じ開閉容量の標準機器よりも大きな磁石装置が必要とされる。
本発明の課題は、短絡電流の遮断が接点の溶着を一層確実に防止するようにして行えるように冒頭に述べた形式の電磁開閉器を構成することにある。
この課題は本発明に基づいて、可動接触子ホルダがその長手軸線方向へ第２の接極子に対して移動でき、可動接触子ホルダにはこれに第２の接極子の接点開放運動を伝達する圧縮ばねが作用し、第１の電磁駆動装置が応動した際、第１の接極子の運動が、接触子圧縮ばねが第１の段階において圧縮されて接触圧力が高められ同時に圧縮ばねがエネルギを蓄えるように可動接触子ホルダに伝達され、ばね内に蓄えられたエネルギが第２の段階において接点を開く方向に可動接触子ホルダを押圧するために利用されることによって解決される。
本発明の有利な実施態様は次の通りである。
可動接触子ホルダに、第１の接極子の運動を伝達するために伝達素子が連結されている（請求項２）。
伝達素子として可動接触子ホルダに回転可能に支持されたレバーが設けられ、このレバーの一方のアームが第１の段階において回転しながら可動接触子ホルダを引き連れて支持され、第２の段階において接点を開くためにその支持を釈放される（請求項３）。
以下において図に示した実施例を参照して本発明を詳細に説明する。
図１は本発明に基づく開閉器の投入状態における動作電流が流れている場合の断面図、
図２は図１の開閉器の短絡電流が流れた場合の断面図、
図３は図ｉの本発明に基づく開閉器の補助磁石装置が引き外された後の状態の断面図、
図４は図１の本発明に基づく開閉器の遮断状態の断面図である。
図１には、接触子装置２と第１の電磁駆動装置３と第２の電磁駆動装置４とを備えた電磁開閉器１が示されている。消弧室５内に配置された接触子装置２は可動接触子６を有し、この可動接触子６はその両端部位に、一対の固定接触子９にそれぞれ結合され対を成している固定接点８と接触するための可動接点７を備えている。可動接触子６は可動接触子ホルダ１１にある窓１０の中に接触子圧縮ばね１２によって支持されている。その可動接触子ホルダ１１は電磁開閉器ケース側へ案内される。図１において電磁開閉器１は投入状態で示されている。この状態において可動接触子ホルダ１１は下側位置にあり、接触子圧縮ばね１２が可動接触子６を介して可動接点７を対向する固定接点８に接触させている。可動接触子ホルダ１１の下端は案内棒１３として形成され、この案内棒１３はホルダ保持板１５にある孔１４内に案内されている。ホルダ保持板１５は第２の電磁駆動装置４の接極子２７に結合されている。案内棒１３が孔１４内に軸線方向に移動可能に案内され、これに応じて可動接触子ホルダ１１は軸線方向に移動できる。第２の電磁駆動装置４の図１に示されている下降された位置への運動は、可動接触子ホルダ１１とホルダ保持板１５とに接している圧縮ばね１６に抗して行われる。伝達素子として作用するレバー１７が軸ピン１８によって可動接触子ホルダ１１に回転可能に支持されている。このレバー１７の両アーム１９、２０は支持段部２１に接している。第１の電磁駆動装置３は、その接極子２２が引き外しの際にレバー１７をプランジャ２３を介して反時計方向に作動するように配置されている。第１の電磁駆動装置３のコイル２４は固定接触子９の１つに直列接続されている。過電流、特に短絡電流によって引き外しが行われた際、第１の電磁駆動装置３のプランジャ２３によってレバー１７に力が与えられる。この力は軸ピン１８を介して、電流の増大に伴って接触圧力が増大されるように変換される。
短絡電流が流れたとき、可動接触子ホルダ１１は軸ピン１８を介してホルダ保持板１５の方向に移動され、その場合、レバー１７の一方のアーム１９だけはなお一方の支持段部２１に接し、接触子圧縮ばね１２および圧縮ばね１６が同時に圧縮される（図２参照）。
所定の電流値において、レバー１７はこれが支持段部２１の縁２５から滑って外れるほど大きく転向する。この結果、接触子圧縮ばね１２内および圧縮ばね１６内に蓄えられていたエネルギが、図３に示されているように、接点７、８を衝撃的に開放させる。
短絡の除去後に、電磁開閉器１は第２の電磁駆動装置４の遮断によって図４における初期状態に戻される。この場合、第２の電磁駆動装置４の復帰ばね（図示せず）によって、レバー１７は開閉器ケース２６にある隆起部によって縁２５を越えて押し戻され、その場合、縁２５を備えた棒２８が横に押し曲げられる。
本発明によれば簡単に、短絡が生じた際に補助電磁駆動装置３によって、第１の段階で接触圧力が増大され、その際、接触子圧縮ばね１２および圧縮ばね１６がエネルギを蓄える。続く第２の段階において可動接触子ホルダ１１の釈放後に、ばね１２、１６内に蓄えられたエネルギが、接点７、８を衝撃的に開くために利用される。
以上において本発明を図面に示された実施例を参照して詳細に説明したが、本発明はこの実施例に限定されるものではなく、考え得るすべての変形装置、改良装置および等価装置も、これらが請求の範囲の内容に合致する限り本発明に含まれる。
【図１】
0004056567.tif 000002
【図２】
0004056567.tif 000003
【図３】
0004056567.tif 000004
【図４】
0004056567.tif 000005